(57)【要約】      （修正有）【課題】遊技客は遊技に必要な現金の出金及び特殊景品の売却により得た現金の入金の利便性が得られ、景品交換所では特殊景品買取用現金の備蓄が不要になる遊技関連施設用現金処理システムを提供する。【解決手段】遊技ホール１内のＡТМ１００は所定の金券を読取り、通帳挿入に続き、所定の金融機関等との通信によりデータベースの当該通帳の残高を確認するとともに、紙幣受払口を開けて紙幣が投入されずに所定の金券が挿入されたときは、該金券から読み取った金額を前記残額に加算して通信によりデータベースの残高を更新すると同時に、通帳に記帳後、客に返す。景品交換所２に設けた金券発行装置３００は、遊技客が持ち込んだ特殊景品を計数し、所定の換算率で換算した金額データを出力する特殊景品カウンター３１０と、該カウンターから入力した金額データを前記ＡТМにより読取り可能に記録した所定の金券を発行する金券発行機３２０とからなる。【選択図】図１
2010166952.tif 000002
【特許請求の範囲】
【請求項１】
遊技ホール内に設けたＡТМと、景品交換所に設けた金券発行装置とからなり、
前記ＡТМは、少なくとも、
前記金券発行装置が発行した所定の金券を挿入する金券挿入口と、その金券挿入口に挿入された金券に記録されているデータを読取る手段とが付加され、
客が取引種類として入金を選択した後の通帳挿入に続き、所定の金融機関又はＡТМ管理センターとの間の通信によりデータベースの当該通帳の取引口座の残高を確認するとともに、紙幣受払口を開け、その紙幣受払口に紙幣が投入されずに前記金券挿入口に所定の金券が挿入されたときは、その金券から読み取った金額を前記残額に加算して前記通信により前記データベースの残高を更新すると同時に、前記通帳に取引を記録した後、その通帳を当該客に返す入金処理部を有するものであり、
前記金券発行装置は、
遊技客が持ち込んだ特殊景品を計数し、その計数値を所定の換算率に基づいて金額に換算して金額データを出力する特殊景品カウンターと、
前記特殊景品カウンターから入力した金額データを前記ＡТМにより読取り可能に記録した金券を発行する金券発行機とからなるものである、
ことを特徴とする遊技関連施設用現金処理システム。
【請求項２】
請求項１に記載の遊技関連施設用現金処理システムにおいて、
特殊景品カウンターは、遊技客が持ち込んだ特殊景品を種類別に計数し、各種類の個数に対応する換算後の金額及び全金額の合計額を算出する演算部と、各種類ごとの個数と金額及び合計額を少なくとも客側に表示する表示部と、表示内容を客が確認した場合に、金額データを金券発行機に出力する出力部とを有することを特徴とする遊技関連施設用現金処理システム。
【請求項３】
遊技ホール内に設けたＡТМと、景品交換所に設けた金券発行装置とからなり、
前記ＡТМは、
（ａ）少なくとも出金、入金の取引種類を選択する手段と、
（ｂ）カード挿入・返却口にキャッシュカード又は金券発行装置が発行した所定の金券が挿入された場合にそれを読取る手段と、
（ｃ）ＩＤ(暗証番号)及び取引要求額を入力する手段と、
（ｄ）通帳挿入・返却口に挿入した通帳に対して成立した取引を記録する手段と、
（ｅ）客が入金する紙幣を受け入れ、又は出金する紙幣を客に払い出す紙幣受払口と、
（ｆ）出金処理部及び入金処理部とを有し、
（ｇ）記出金処理部は、客が取引種類選択手段により出金を選択後、キャッシュカードの挿入に続いてＩＤと出金要求額を入力したとき、所定の金融機関又はＡТМ管理センターとの間で通信してデータベースからＩＤ、取引口座番号及び残高の確認により出金条件が満たされるか否かを調べ、満たされるときは、入力された出金要求額の紙幣を紙幣受払口に払い出すとともに、前記データベースの残高から前記出金要求額を減額して前記通信を介して前記データベースの前記取引口座番号に対応する残高を更新し、前記紙幣受払口を開けて紙幣が取り出された後、その紙幣受払口を閉めるとともに、前記キャッシュカードを前記客に返すものであり、
（ｈ）前記入金処理部は、客が取引種類選択手段により入金を選択後、通帳挿入に続いて所定の金融機関又はＡТМ管理センターとの間で通信してデータベースから取引口座番号と残高を確認するとともに、紙幣受払口を開け、
（i）通帳挿入後に前記紙幣受払口に紙幣が投入されたときは、その投入された紙幣を 計数して金庫に収納すると同時に、その投入金額をデータベースの残額に加算して前記通信を介して前記データベースの前記取引口座番号に対応する残高を更新するとともに、前記紙幣受払口を閉め、前記通帳に取引を記録した後、その通帳を当該客に返し、
（ii）通帳挿入後に前記紙幣受払口に紙幣が投入されずに前記カード挿入・返却口に所定の金券が挿入されたときは、前記紙幣受払口を閉め、その金券から読み取った金額を前記データベースの残額に加算して前記通信を介して前記データベースの前記取引口座番号に対応する残高を更新すると同時に、前記金券を回収し、前記通帳に取引を記録した後、その通帳を当該客に返すものであり、
前記金券発行装置は、
（ｉ）遊技客が持ち込んだ特殊景品を種類別に計数する特殊景品カウンターと、
（ｊ）前記特殊景品カウンターから入力した特殊景品の種類別の計数値信号を所定の換算率に基づいて換算された金額の合計額のデータ及び当該景品交換所のＩＤを前記ＡТМにより読取り可能に記録した金券を発行する金券発行機とからなること、
を特徴とする遊技関連施設用現金処理システム。
【請求項４】
請求項１，２又は３に記載の遊技関連施設用現金処理システムにおいて、前記ＡТМの入金処理部は、取引種類として入金が選択され、通帳の挿入に続いて当該遊技ホールの店舗の店主固有のＩＤが記録された所定の店主カードが挿入されたときは、開けた紙幣受払口に投入された紙幣を計数して金庫に収納すると同時に、その投入金額をデータベースの残額に加算して前記通信を介して前記データベースの前記取引口座番号に対応する残高を更新し、前記紙幣受払口を閉め、前記通帳に取引を記録した後、その通帳及び前記店主カードをその店主に返すものであることを特徴とする遊技関連施設用現金処理システム。
【請求項５】
（ａ）少なくとも出金、入金の取引種類を選択する手段と、
（ｂ）カード挿入・返却口にキャッシュカード又は金券発行装置が発行した所定の金券が挿入された場合にそれを読取る手段と、
（ｃ）ＩＤ(暗証番号)及び取引要求額を入力する手段と、
（ｄ）通帳挿入・返却口に挿入した通帳に対して成立した取引を記録する手段と、
（ｅ）客が入金する紙幣を受け入れ、又は出金する紙幣を客に払い出す紙幣受払口と、
（ｆ）出金処理部及び入金処理部とを有し、
（ｇ）前記出金処理部は、客が取引種類選択手段により出金を選択後、キャッシュカードの挿入に続いてＩＤと出金要求額を入力したとき、所定の金融機関又はＡТМ管理センターとの間で通信してデータベースからＩＤ、取引口座番号及び残高の確認により出金条件が満たされるか否かを調べ、満たされるときは、入力された出金要求額の紙幣を紙幣受払口に払い出すとともに、前記データベースの残高から前記出金要求額を減額して前記通信を介して前記データベースの前記取引口座番号に対応する残高を更新し、前記紙幣受払口を開けて紙幣が取り出された後、その紙幣受払口を閉めるとともに、前記キャッシュカードを前記客に返すものであり、
（ｈ）前記入金処理部は、客が取引種類選択手段により入金を選択後、通帳挿入に続いて所定の金融機関又はＡТМ管理センターとの間で通信してデータベースから取引口座番号と残高を確認するとともに、紙幣受払口を開け、
（i）通帳挿入後に前記紙幣受払口に紙幣が投入されたときは、その投入された紙幣を 計数して金庫に収納すると同時に、その投入金額をデータベースの残額に加算して前記通信を介して前記データベースの前記取引口座番号に対応する残高を更新するとともに、前記紙幣受払口を閉め、前記通帳に取引を記録した後、その通帳を当該客に返し、
（ii）通帳挿入後に前記紙幣受払口に紙幣が投入されずに前記カード挿入・返却口に所定の金券が挿入されたときは、前記紙幣受払口を閉め、その金券から読み取った金額を前記データベースの残額に加算して前記通信を介して前記データベースの前記取引口座番号に対応する残高を更新すると同時に、前記金券を回収し、前記通帳に取引を記録した後、その通帳を当該客に返すものである、
ことを特徴とする遊技ホール用ＡТМ。
【請求項６】
出金処理部は、カード挿入・返却口に挿入されたキャッシュカードから読み取った各１組のＩＤ及び取引口座番号に対する１日の出金合計額が制限値を超えないように、出金制限機能を備えていることを特徴とする請求項５に記載の遊技ホール用ＡТМ。
【請求項７】
（ｊ）遊技客が持ち込んだ特殊景品を種類別に計数する特殊景品カウンターと、
（ｋ）前記特殊景品カウンターから入力した特殊景品の種類別の計数値信号を所定の換算率に基づいて換算された金額の合計額のデータ及び特定の景品交換所のＩＤを遊技ホール用ＡТМにより読取り可能に記録した金券を発行する金券発行機とからなることを特徴とする金券発行装置。
【請求項８】
（ｊ´）遊技客が持ち込んだ特殊景品を計数し、その計数値を所定の換算率に基づいて金額に換算して金額データを出力する特殊景品カウンターと、
（ｋ´）前記特殊景品カウンターから入力した金額データを前記ＡТМにより読取り可能に記録した金券を発行する金券発行機とからなり、
（ｊ”）前記特殊景品カウンターは、遊技客が持ち込んだ特殊景品を種類別に計数し、各種類の個数に対応する換算後の金額及び全金額の合計額を算出する演算部と、各種類ごとの個数と金額及び合計額を少なくとも客側に表示する表示部と、表示内容を客が確認した場合に、金額データを金券発行機に出力する出力部とを有することを特徴とする金券発行装置。
【発明の詳細な説明】
【技術分野】
【０００１】
本発明は、パチンコやスロットなどの遊技ホールと景品交換所を含む遊技関連施設に適用される新規な現金処理システム及び同システム用ＡТМ（現金自動預け払い機）並びに金券発行装置に関する。
さらに詳しくは、本発明は、遊技ホールで遊技客が遊技のために必要な現金を払出すことと、その遊技客がその遊技ホールで入賞玉等と交換した特殊景品を景品交換所に持参して等価交換により得た金券を用いて遊技ホールで預金することができるようにした遊技関連施設用現金処理システム、遊技ホールに設置される同システム用ＡТМ、並びに景品交換所に設置される同システム用金券発行装置に関する。
【背景技術】
【０００２】
従来、遊技客が遊技ホールで遊技をするために必要な現金を持ち合わせていないときは、最寄りの金融機関まで出向き、ＡТМに所定のキャッシュカードを挿入して所要金額の現金を払い戻している。
【０００３】
また、客が遊技ホールで遊技により取得した入賞玉等（入賞コインを含む。以下、同じ。）を現金化するには、その入賞玉等を特殊景品と引換え、その特殊景品を景品交換所に持参して売却しており、その売却代金である現金を預金したい場合は、その現金を持って再び金融機関まで出向いてＡТМなどで預金している。
【０００４】
そして、従来の景品交換所では、客から特殊景品を買取るための現金を備蓄している。さらに、遊技ホールの店主は、遊技媒体や飲食品等の売上金を金融機関に預金するまで、現金を店舗内の金庫等に入れて保管している。
【先行技術文献】
【特許文献】
【０００５】
【特許文献１】特になし
【発明の概要】
【発明が解決しようとする課題】
【０００６】
上記のように、従来は、客は遊技ホールで使用する現金を所持するため及び景品交換所で受け取った現金を預金するために、その都度、金融機関に出向く必要があるので、手間暇が掛り、面倒であった。
また、景品交換所は、特殊景品買取用現金を備蓄するので、防犯のためのセキュリテイコストがかかるという問題がある。
【０００７】
さらに、遊技ホールの店主は、遊技媒体等の売上金の金庫内保管に危険性があり、景品交換所と同様にセキュリテイコストがかかるという問題がある。
そして、従来は、客から遊技ホールへの現金の流れ、遊技ホールと景品交換所との間の特殊景品の流れ、及び、景品交換所から客への現金の流れを、一貫して把握し管理する手立てはなかった。
【０００８】
本発明は、上記の問題点を解するためになされたものである。すなわち、遊技客の遊技に必要な現金の払い戻し（出金）及び特殊景品の売却により得た現金の預金（入金）の利便性が得られ、景品交換所では特殊景品買取用現金の備蓄を必要としない遊技関連施設用現金処理システムを提供することを主たる目的としている。
本発明の付随的目的は、遊技ホールの店主がその売上金の入金をも行なうことができる遊技関連施設用現金処理システムを提供することにある。
本発明の他の付随的目的は、遊技ホールに設置される同システムに好適なＡТМを提供することにある。
本発明のさらに他の付随的目的は、景品交換所に設置される同システムに好適な金券発行装置を提供することにある。
【課題を解決するための手段】
【０００９】
上記主たる目的を達成するため、本発明の遊技関連施設用現金処理システムは、（Ａ）遊技ホール内に設けたＡТМと景品交換所に設けた金券発行装置とからなり、（Ｂ）前記ＡТМは、少なくとも、（ａ）前記金券発行装置が発行した所定の金券を挿入する金券挿入口と、その金券挿入口に挿入された金券に記録されているデータを読取る手段とが付加され、（ｂ）客が取引種類として入金を選択した後の通帳挿入に続き、所定の金融機関又はＡТМ管理センターとの間の通信によりデータベースの当該通帳の取引口座の残高を確認するとともに、紙幣受払口を開け、その紙幣受払口に紙幣が投入されずに前記金券挿入口に所定の金券が挿入されたときは、その金券から読み取った金額を前記残額に加算して前記通信により前記データベースの残高を更新すると同時に、前記通帳に取引を記録した後、その通帳を当該客に返す入金処理部を有するものであり、（Ｃ）前記金券発行装置は、（ｃ）遊技客が持ち込んだ特殊景品を計数し、その計数値を所定の換算率に基づいて金額に換算して金額データを出力する特殊景品カウンターと、（ｄ）前記特殊景品カウンターから入力した金額データを前記ＡТМにより読取り可能に記録した金券を発行する金券発行機とからなるものであることを特徴としている（請求項１）。
【００１０】
また、上記主たる目的を達成するため、本発明の遊技関連施設用現金処理システムは、好ましい実施の形態として、特殊景品カウンターは、遊技客が持ち込んだ特殊景品を種類別に計数し、各種類の個数に対応する換算後の金額及び全金額の合計額を算出する演算部と、各種類ごとの個数と金額及び合計額を少なくとも客側に表示する表示部と、表示内容を客が確認した場合に、金額データを金券発行機に出力する出力部とを有することを特徴としている（請求項２）。
【００１１】
また、上記主たる目的を達成するため、本発明の遊技関連施設用現金処理システムは、他の好ましい実施の形態として、（Ａ）遊技ホール内に設けたＡТМと景品交換所に設けた金券発行装置とからなり、（Ｂ）前記ＡТМは、（ａ）少なくとも出金、入金の取引種類を選択する手段と、（ｂ）カード挿入・返却口にキャッシュカード又は金券発行装置が発行した所定の金券が挿入された場合にそれを読取る手段と、（ｃ）ＩＤ（暗証番号）及び取引要求額を入力する手段と、（ｄ）通帳挿入・返却口に挿入した通帳に対して成立した取引を記録する手段と、（ｅ）客が入金する紙幣を受け入れ、又は出金する紙幣を客に払い出す紙幣受払口と、（ｆ）出金処理部及び入金処理部とを有し、（ｇ）前記出金処理部は、客が取引種類選択手段により出金を選択後、キャッシュカードの挿入に続いてＩＤと出金要求額を入力したとき、所定の金融機関又はＡТМ管理センターとの間で通信してデータベースからＩＤ、取引口座番号及び残高の確認により出金条件が満たされるか否かを調べ、満たされるときは、入力された出金要求額の紙幣を紙幣受払口に払い出すとともに、前記データベースの残高から前記出金要求額を減額して前記通信を介して前記データベースの前記取引口座番号に対応する残高を更新し、前記紙幣受払口を開けて紙幣が取り出された後、その紙幣受払口を閉めるとともに、前記キャッシュカードを前記客に返すものであり、（ｈ）前記入金処理部は、客が取引種類選択手段により入金を選択後、通帳挿入に続いて所定の金融機関又はＡТМ管理センターとの間で通信してデータベースから取引口座番号と残高を確認するとともに、紙幣受払口を開け、（１）通帳挿入後に前記紙幣受払口に紙幣が投入されたときは、その投入された紙幣を計数して金庫に収納すると同時に、その投入金額をデータベースの残額に加算して前記通信を介して前記データベースの前記取引口座番号に対応する残高を更新するとともに、前記紙幣受払口を閉め、前記通帳に取引を記録した後、その通帳を当該客に返し、（２）通帳挿入後に前記紙幣受払口に紙幣が投入されずに前記カード挿入・返却口に所定の金券が挿入されたときは、前記紙幣受払口を閉め、その金券から読み取った金額を前記データベースの残額に加算して前記通信を介して前記データベースの前記取引口座番号に対応する残高を更新すると同時に、前記金券を回収し、前記通帳に取引を記録した後、その通帳を当該客に返すものであり、（Ｃ）前記金券発行装置は、（ｉ）遊技客が持ち込んだ特殊景品を種類別に計数する特殊景品カウンターと、（ｊ）前記特殊景品カウンターから入力した特殊景品の種類別の計数値信号を所定の換算率に基づいて換算された金額の合計額のデータ及び当該景品交換所のＩＤを前記ＡТМにより読取り可能に記録した金券を発行する金券発行機とからなることを特徴としている（請求項３）。
【００１２】
また、本発明は、上記付随的目的を達成するため、本発明の請求項３に記載の遊技関連施設用現金処理システムにおいて、遊技ホール内に設けられるＡТМの入金処理部は、取引種類として入金が選択され、通帳の挿入に続いて当該遊技ホールの店舗の店主固有のＩＤが記録された所定の店主カードが挿入されたときは、開けた紙幣受払口に投入された紙幣を計数して金庫に収納すると同時に、その投入金額をデータベースの残額に加算して前記通信を介して前記データベースの前記取引口座番号に対応する残高を更新し、前記紙幣受払口を閉め、前記通帳に取引を記録した後、その通帳及び前記店主カードを返すものであることを特徴としている（請求項４）。
【００１３】
遊技関連施設用現金処理システムを構成するのに好適な遊技ホール用ＡТМは、（ａ）少なくとも出金、入金の取引種類を選択する手段と、（ｂ）カード挿入・返却口にキャッシュカード又は金券発行装置が発行した所定の金券が挿入された場合にそれを読取る手段と、（ｃ）ＩＤ(暗証番号)及び取引要求額を入力する手段と、（ｄ）通帳挿入・返却口に挿入した通帳に対して成立した取引を記録する手段と、（ｅ）客が入金する紙幣を受け入れ、又は出金する紙幣を客に払い出す紙幣受払口と、（ｆ）出金処理部及び入金処理部とを有し、（ｇ）前記出金処理部は、客が取引種類選択手段により出金を選択後、キャッシュカードの挿入に続いてＩＤと出金要求額を入力したとき、所定の金融機関又はＡТМ管理センターとの間で通信してデータベースからＩＤ、取引口座番号及び残高の確認により出金条件が満たされるか否かを調べ、満たされるときは、入力された出金要求額の紙幣を紙幣受払口に払い出すとともに、前記データベースの残高から前記出金要求額を減額して前記通信を介して前記データベースの前記取引口座番号に対応する残高を更新し、前記紙幣受払口を開けて紙幣が取り出された後、その紙幣受払口を閉めるとともに、前記キャッシュカードを前記客に返すものであり、（ｈ）前記入金処理部は、客が取引種類選択手段により入金を選択後、通帳挿入に続いて所定の金融機関又はＡТМ管理センターとの間で通信してデータベースから取引口座番号と残高を確認するとともに、紙幣受払口を開け、（i）通帳挿入後に前記紙幣受払口に紙幣が投入されたときは、その投入された紙幣を計 数して金庫に収納すると同時に、その投入金額をデータベースの残額に加算して前記通信を介して前記データベースの前記取引口座番号に対応する残高を更新するとともに、前記紙幣受払口を閉め、前記通帳に取引を記録した後、その通帳を当該客に返し、（ii）通帳挿入後に前記紙幣受払口に紙幣が投入されずに前記カード挿入・返却口に所定の金券が挿入されたときは、前記紙幣受払口を閉め、その金券から読み取った金額を前記データベースの残額に加算して前記通信を介して前記データベースの前記取引口座番号に対応する残高を更新すると同時に、前記金券を回収し、前記通帳に取引を記録した後、その通帳を当該客に返すものであることを特徴としている（請求項５）。
【００１４】
好ましい実施の形態においては、遊技ホール用ＡＴＭの出金処理部は、カード挿入・返却口に挿入されたキャッシュカードから読み取った各１組のＩＤ及び取引口座番号に対する１日の出金合計額が制限値を超えないように、出金制限機能を備えていることを特徴としている（請求項６）。
【００１５】
そして、景品交換所に設置されるのに好適な金券発行装置は、（ｊ）遊技客が持ち込んだ特殊景品を種類別に計数する特殊景品カウンターと、（ｋ）前記特殊景品カウンターから入力した特殊景品の種類別の計数値信号を所定の換算率に基づいて換算された金額の合計額のデータ及び特定の景品交換所のＩＤを遊技ホール用ＡТМにより読取り可能に記録した金券を発行する金券発行機とからなることを特徴としている（請求項７）。
【００１６】
好ましい実施の形態においては、金券発行装置は、（ｊ´）遊技客が持ち込んだ特殊景品を計数し、その計数値を所定の換算率に基づいて金額に換算して金額データを出力する特殊景品カウンターと、（ｋ´）前記特殊景品カウンターから入力した金額データを前記ＡТМにより読取り可能に記録した金券を発行する金券発行機とからなり、（ｊ”）前記特殊景品カウンターは、遊技客が持ち込んだ特殊景品を種類別に計数し、各種類の個数に対応する換算後の金額及び全金額の合計額を算出する演算部と、各種類ごとの個数と金額及び合計額を少なくとも客側に表示する表示部と、表示内容を客が確認した場合に、金額データを金券発行機に出力する出力部とを有することを特徴としている（請求項８）。
【発明の効果】
【００１７】
請求項１の発明によれば、遊技ホールの遊技客は遊技ホール内に設置されたＡТМで遊技に必要な現金を入手するできるとともに、その現金で遊技媒体を借り受けての遊技により獲得した入賞玉等を特殊景品に引き換え、その特殊景品を景品交換所に持ち込んで、金券発行装置により計数して、その計数値に対応する所定の金額が記録された金券の発行を受け、その金券を持って再び遊技ホールに行き、金券をＡＴＭに挿入することにより、景品交換所からＡＴＭまでの間を現金を持ち歩くことなく、預金することができる。
従って、従来と異なり、遊技客は遊技に必要な現金を最寄りの金融機関に出向くことなく当該遊技ホールにおいて入手することができ、遊技で取得した特殊景品の売却により得た現金を持って金融機関まで出向くことなく、すなわち、手間・暇がかからずに預金することができので、便利である。また、景品交換所は特殊景品買取用現金を備蓄する必要が無いので、セキュリティコストの軽減が可能である。
【００１８】
請求項２の発明によれば、特殊景品を金券に換える際に、特殊景品の種類、個数及びその買取金額を少なくとも客が表示部で確認することができるので、金券発行に対する信頼性が得られる。
【００１９】
請求項３の発明によれば、遊技ホール内のＡＴＭにおいて一般人も出金処理及び入金処理を受けることができるとともに、遊技客はその遊技ホールでの遊技に必要な現金の払い戻しを当該遊技ホールのＡＴＭにおいて受けることができ、また、遊技ホールで入賞玉と引換に受けた特殊景品を景品交換所で金券と交換し、その金券を用いて遊技ホールのＡＴＭで預金をすることができる。
【００２０】
請求項４の発明によれば、遊技ホールの店主は、遊技媒体等の売上金を当該遊技ホールのＡＴＭに入金することができるので、常時店舗内金庫に保管し、後に金融機関に移動して預金する場合よりも安全性が高く、遊技ホールのセキュリティコストの低減が可能である。
【００２１】
請求項５の発明によれば、遊技関連施設用現金処理システムに好適な遊技ホール用ＡТМを提供することができる。
【００２２】
請求項６の発明によれば、遊技ホールでの遊技のためにＡТМから出金する１日の金額を抑制することができる。
【００２３】
請求項７，８の発明によれば、遊技関連施設用現金処理システムに好適な景品交換所用金券発行装置を提供することができる。
【００２４】
そして、本発明によれば、遊技ホールのＡＴＭの利用者を当該遊技ホールの遊技客及び店主に限定する場合は、遊技客、遊技ホール並びに景品交換所における現金と特殊景品の全体的な流れを把握することが可能である。
【図面の簡単な説明】
【００２５】
【図１】本発明を実施する遊技関連施設の一例の配置図。
【図２】金券発行装置の平面図。
【図３】特殊景品カウンタの構成を概略的に示すブロック図。
【図４】金券発行機の構成を概略的に示すブロック図。
【図５】遊技ホール用ＡＴＭの外観を示す斜視図。
【図６】同ＡＴＭの構成を概略的に示すブロック図。
【図７Ａ】ＡＴＭの動作の中の待ち受け状態から取引種類の選択までの動作を示すフローチャート。
【図７Ｂ】取引種類として出金が選択された場合の動作を氏名フローチャート。
【図７Ｃ】取引種類として入金が選択された場合の動作の一部を示すフローチャート。
【図７Ｄ】入金処理の途中で紙幣又はカードの挿入を促した場合に、紙幣が投入された後の動作を示すフローチャート。
【図７Ｅ】入金処理の途中で紙幣又はカードの挿入を促した場合に、カードが挿入されたの後の動作を示すフローチャート。
【発明を実施するための形態】
【００２６】
続いて、本発明の実施の形態について図面を用いて説明する。
図１は本発明を実施する遊技関連施設の一例の配置図、図２は金券発行装置の平面図、図３は特殊景品カウンタの構成を概略的に示すブロック図、図４は金券発行機の構成を概略的に示すブロック図、図５は遊技ホール用ＡＴＭの外観を示す斜視図、図６は同ＡＴＭの構成を概略的に示すブロック図、図７Ａないし図７Ｅは、同ＡＴＭの動作を説明するフローチャートであり、図７Ａは待ち受け状態から取引種類の選択までの動作を示すフローチャート、図７Ｂは取引種類として出金が選択された場合の動作を氏名フローチャート、図７Ｃは取引種類として入金が選択された場合の動作の一部を示すフローチャート、図７Ｄは入金処理の途中で紙幣又はカードの挿入を促した場合に、紙幣が投入された後の動作を示すフローチャート、図７Ｅは入金処理の途中で紙幣又はカードの挿入を促した場合に、カードが挿入されたの後の動作を示すフローチャートである。
【００２７】
本発明に係る遊技関連施設用現金処理システムは、図１に示すように、遊技ホール１内に設置されたＡＴＭ１００と、そのＡＴＭの管理機関と協定を締結している景品交換所２内に設置された金券発行装置３００とから構成されている。ＡＴＭ１００は、遊技ホール１の正面入口１０から入ると容易に目に付き易い近い位置に設置される。
【００２８】
遊技ホール１内には、その入口から奥に向かってパチンコ機又はスロットマシンなどの遊技機１１’…を複数台連設してなる遊技島１１が設けられている。図１には図示が省略されているが、各遊技機には台間玉貸し機等が付属している。
遊技機には、その台間玉貸し機等に直接現金を投入して遊技が可能なもの、現金投入と所定のカードの挿入のいずれによっても遊技が可能なもの、あるいは、所定のカードの使用に限定されるものなどがある。
そして、所定のカードの使用が可能な場合は、その所定のカードを自動販売するカード販売機２００が、好ましくはＡＴＭ１００の付近に設置される。遊技客が台間玉貸し機に投入した現金は遊技媒体売上金であり、遊技島の末端に搬送されて回収され、遊技ホール１の売上金として、適時、金庫等に運び込まれて保管される。また、遊技客がカード販売機２００に払う現金も、遊技ホール１の売上金となる。
【００２９】
遊技島１１よりも奥の突き当たりには、景品交換コーナ１２が設けられ、その景品交換コーナに既知の入賞玉カウンタ１３が設置されている。１４は入賞玉と交換される景品を備蓄する景品棚である。その景品の中には、通常の商品である一般景品のほかに、現金化を目的とする特殊景品が含まれる。
【００３０】
ＡＴＭ１００は、通常のＡＴＭと同様に、所定のキャッシュカードを用いて現金を払い戻すことができる。従って、遊技ホール１に入った遊技客はＡＴＭ１００で現金を引き落とし、任意の遊技機で遊技をすることができる。そして、遊技客は遊技により獲得した入賞玉等を入賞玉カウンタ１３のホッパに入れて、入賞玉を計数させることができる。入賞玉カウンタ１３は、計数値を客側の表示面に表示するように構成されている。入賞玉カウンタ１３には、計数値を表示するとともに、その計数値を印字したレシートを発行するように構成されたものもある。そして、景品交換コーナ１２の中に居る係員は、その入賞玉カウンタ１３に表示されている計数値を見て、あるいは、遊技客から受け取ったレシートの計数値を見て、その遊技客が希望する景品（一般景品又は特殊景品）を計数値と金額的に見合う個数だけ景品棚１４から取り出してその遊技客に引き渡すようになっている。
【００３１】
特殊景品を受け取った遊技客は、その特殊景品を景品交換所２に持参し、係員に差し出して買取（金券との交換）を請求する。係員は、差し出された特殊景品を金券発行装置３００に種類別に計数させ、その計数値に対応する所定の金額の金券を発行させることができるようになっている。
【００３２】
さらに詳述すると、金券発行装置３００は、特殊景品カウンタ３１０と金券発行機３２０とからなっている。
特殊景品カウンタ３１０には、図２及び図３に示すように、特殊景品の種類と数量を入力するための入力部３１１と、入力内容（種類と数量）に基づいて所定の交換率で買取金額を算出する演算制御部３１２と、入力内容（種類と数量）及び演算結果（買取金額）を客側と係員側に表示する表示部３１３ａ，３１３ｂと、演算プログラムデータを格納し、入力内容と演算結果を一時的に記憶する記憶部３１４と、入力内容と演算結果を確認する操作に基づいて演算結果を金券発行機３２０に送出する出力部３１５と、が設けてある。
【００３３】
入力部３１１には、係員が操作する特殊景品の種類を指定するための種類指定ボタン３１１ａと、数量を入力するための値数キー３１１ｂと、各種類指定キーについて定められている特殊景品の買取単価（所定の交換率）と入力された数量とを乗算させるための乗算キー３１１ｃと、客が差し出した全ての特殊景品について種類と数量の入力を終了したときに操作される合計キー３１１ｄと、合計キーの操作に基づき表示部３１３ａに表示された内容を客が確認するときに操作される確認キー３１１ｅが含まれている。確認キー３１１ｅは係員側にも設けることが好ましい。
【００３４】
こうして、客が差し出した特殊景品の種類と数量を入力し、乗算キー３１１ｃを押すたびに、表示部３１３ａ，３１３ｂに種類と数量と買取金額が表示される。全ての種類についての種類と数量の入力及び乗算キー３１１ｃの押下を終了したときに合計キー３１１ｄを押すと、買取金額の合計額が表示部３１３ａ，３１３ｂに表示される。客がその表示内容を確認する意思表示として確認キー３１１ｅを押すと、記憶部に記憶されている買取金額（合計額）のデータが出力部３１５から金券発行機３２０に送出されるように構成されている。
【００３５】
特殊景品の種類別個数の入力は、係員が個々の特殊景品の外観を見て又は個々の特殊景品に付されている文字や記号などを読み取りって種類を認識し、個数を数えて、その種類と個数を特殊景品カウンタ２１０に入力するようにしても良い。また、特殊景品に種類を示すバーコードを付し、特殊景品カウンタ２１０に接続したバーコードスキャナーによりそのバーコードを読み取って入力することもできる。図示されていないが、特殊景品にＩＣチップを埋め込み、そのＩＣチップを特殊景品カウンタ２１０に設けた読取器により非接触で読み取って入力することもできる。
【００３６】
金券発行機３２０は、図４に示すように、特殊景品カウンタ３１０が出力するデータを受信する受信部３２１と、プログラムデータ及び当該景品交換所のＩＤを格納し、受信部３２１が得た金額データを一時的に保存する記憶部３２２と、受信した信号に対応して金券の記録発行を制御する制御部３２３と、発行する金券の原券を備蓄する原券備蓄部３２４と、その原券備蓄部から原券１枚ずつを繰出す繰出し部３２５と、繰り出される原券に対して景品交換所のＩＤと金額データとを後述されるＡＴＭ１００で読取可能に記録する記録部３２６と、ＩＤと金額が記録された金券を客に向けて発行する発行部３２７とを有している。
【００３７】
原券備蓄部３２３に備蓄される金券の原券（媒体）は、ロール紙、磁気カード、ＩＣカードなどのいずれでもよい。記録部３２５には、原券の種類に対応して、当該原券にＡＴＭ１００で読取可能な形式で記録する構成を有する既知の手段、例えば、プリンタ、磁気エンコーダ、デジタル信号出力器などを単独又は組み合わせて用いることができる。
【００３８】
上記構成により、景品交換所２では、客が持参した特殊景品の種類別の個数が金券発行装置３００の特殊景品カウンタ３１０に入力され、表示された計数結果と買取金額がその客により確認されると、その買取金額データが特殊景品カウンタ３１０から金券発行機３２０に出力され、これに基づき金券発行機３２０では当該景品交換所のＩＤと買取金額と同額の金額がＡＴＭ１００で読取可能に記録された金券が発行される。
【００３９】
金券を入手した者が、その金券を用いて預金したい場合、又はその金券を現金に換えたい場合は、景品交換所２から再び遊技ホール１に行き、その中に設置してあるＡＴＭ１００で所定の入金手続又は入金操作と出金操作を行えばよい。以下には、ＡＴＭ１００及びその操作について詳細に説明する。
ＡＴＭ１００は、その利用者を当該遊技ホール１内の客及び店主に限定したものとすることも考えられるが、図示の実施の形態は、金融機関に設置されているＡＴＭと同様に一般人の入金処理と出金処理も可能なように構成されている場合のものである。
【００４０】
ＡＴＭ１００は、図５に例示するように、接客部の正面にＡＴＭであることを示す銘板１０１を有し、最も手前側に待ち受け画面を表示したり、操作手順や操作内容などを表示したり、取引種類、取引金額などを入力するためのタッチスイッチを表示する表示・入力部１０２が設けられ、接客部の正面には、さらに、通帳挿入・返却口１０３，キャッシュカード又は前述した金券（この例では、金券がキャッシュカードと同様のカード形式である場合とする。）を挿入するためのカード挿入・返却口１０４、紙幣受払口１０５、硬貨受払口１０６、レシート発行口１０７が設けられている。ＡＴＭ１００が出金のほかは、入金可能な者を遊技客又は後述するように遊技客と遊技ホールの店主に限定するように構成される場合は、銘板１０１には「遊技ホール専用ＡＴＭ」等と表示すればよい。
【００４１】
ＡＴＭ１００の中には、図６に例示するように、Ｉ／Ｏインタフェース１１０と、制御部１２０と、記憶部１３０と、通信制御部１４０とが設けられ、また、いずれもＩ／Ｏインタフェース１１０と電気的に接続された表示ドライバ１０２ａ及び変換器１０２ｂと、通帳用読取・書込部１０３ａと、カード用読取・書込部１０４ａと、紙幣用受入・払出部１０５ａ及び計数部１０５ｂと、硬貨用受入・払出部１０６ａ及び計数部１０６ｂと、レシート発行部１０７ａとが設けられている。
【００４２】
表示ドライバ１０２ａ及び変換器１０２ｂは、それぞれ表示・入力部１０２にも電気的に接続されている。読取・書込部１０３ａは、通帳挿入・返却口１０３に挿入される通帳に対して読取・書込を行うものであり、読取・書込部１０４ａは、カード挿入・返却口１０４に挿入されるカードに対して読取・書込を行うものであり、受入・払出部１０５ａ及び計数部１０５ｂは、紙幣受払口１０５に投入される紙幣を計数して所定の金庫（図示省略）に収納し、又はその金庫から所定枚数の紙幣を計数して紙幣受払口１０５に払い出すものであり、受入・払出部１０６ａ及び計数部１０６ｂは、硬貨受払口１０６に投入される硬貨を計数して所定の金庫（図示省略）に収納し、又は、その金庫から所定金額の硬貨を硬貨受払口１０６に払い出すものである。また、レシート発行部１０７ａは、レシート発行口１０７に望んで設けられ、金券を受け入れた場合に、同金額のレシートを発行するためのものである。
【００４３】
制御部１２０は、客のＡＴＭ１００の所定の操作に基づき、少なくとも所定の出金処理又は入金処理を行うために、上記各部に対して所要の制御を行うものであり、取引待ち処理部１２１と、客の行為から要求する取引種類を判定する要求判定部１２２と、出金処理部１２３と、入金処理部１２４とを有する。各部の動作内容については、後述する。
【００４４】
記憶部１３０は、システムプログラムデータ及び所定の景品交換所のＩＤを格納したＲＯＭ（図示省略）と、入力部１０２、読取・書込部１０３ａ，１０４ａ、計数部１０５ｂ，１０６ｂから入力するデータ、要求判定部１２２、出金処理部１２３、入金処理部１２４から発生するワーキングデータを一時的に保存するＲＡＭ（図示省略）とからなっている。
【００４５】
通信制御部１４０は、ＡＴＭ１００を管理運営している金融機関又はＡＴＭ管理会社のデータベースとの間でＡＴＭ１００による取引処理に必要なデータの授受を行うための通信を制御するものである。
【００４６】
ＡＴＭ１００の制御動作について、図７Ａ〜図７Ｅを参照しながら説明する。
同図において、Ｓに数字を付加した符号はステップ番号を表す。
ＡＴＭ１００が起動されると、制御部１２０の取引待ち処理部１２１が表示・入力部１０２に待ち受け画面を表示し（Ｓ１）、入力部の取引開始ボタンの押下を待つ（客の利用を待機する）（Ｓ２）。取引開始ボタンを押下される（Ｓ２においてＹ）と、表示・入力部１０２に取引の種類（出金、入金、残高確認）を表示し、そのいずれかを選択することを促す（Ｓ３，Ｓ４，Ｓ５，Ｓ６）。
【００４７】
［出金処理］
出金が選択された場合（Ｓ４においてＹ）は、図７ＢのＳ１１に移行して、その後は、出金処理部１２３が通常のＡＴＭで行われているのと同様の出金処理を行う。すなわち、まず、カード挿入・返却口１０３へのキャッシュカードの挿入を促す（Ｓ１１）。挿入されない状態が一定時間以上経過すると（Ｓ１５においてＹ）、Ｓ１１に戻る。一定時間以内に所定のキャッシュカードが挿入された場合は、暗証番号の入力を促す（Ｓ１３）。入力されない状態が一定時間以上経過すると（Ｓ１４においてＮ，Ｓ１６においてＹ）、Ｓ１３に戻る。
【００４８】
一定時間以内に暗証番号が入力されたとき（Ｓ１４においてＹ）は、その入力された暗証番号が真正か否かをチェックし（Ｓ１７）、真正でない場合は入力された暗証番号が間違いである旨を表示・入力部１０２に表示（Ｓ１８）した後、Ｓ１３に戻る。入力された暗証番号が真正である場合は、出金要求金額の入力を促す（Ｓ１９）。金額が入力される（Ｓ１１０）と、その金額を表示・入力部１０２に表示して（Ｓ１１１）、客に対して確認を促す（Ｓ１１２）。一定時間以内に確認ボタンが押されないとき（Ｓ１１２においてＮ、Ｓ１１３においてＹ）は、Ｓ１に戻る。一定時間以内に確認ボタンが押されたとき（Ｓ１１３においてＮ、Ｓ１１２においてＹ）は、通信制御部１４０に所定の金融機関との間で通信をさせ、その金融機関のデータベースの中の先に入力された暗証番号に対応する取引口座の残高を呼び出して、記憶部１３０に一時保存するとともに、出金要求金額がその残高よりも大か残高と等しいか、すなわち、出金条件の成否を判断する（Ｓ１１４）。出金条件不成立（Ｓ１１４においてＮ）の場合は、出金不可である旨を表示・入力部１０２に表示し（Ｓ１１５）た後、Ｓ１９に戻る。これに対して、出金条件成立（Ｓ１１４においてＹ）の場合は、出金要求金額と同額の紙幣を金庫から受入・払出部１０５ａ及び計数部１０５ｂを経て、紙幣受払口１０５に送り出す。また、払い出した金額データは、前記通信を介して所定の金融機関に送信され、そのデータベースの中の前記取引口座の残高の更新に使用される。そして、紙幣受払口１０５を開放して、客の紙幣受取を待つと同時に、カード挿入・返却口１０３に挿入されたキャッシュカードを返却する（Ｓ１１６）。この紙幣払出とキャッシュカードの返却を終了した後は、Ｓ１に戻り、次の客の利用を待機することとなる。
【００４９】
本発明の遊技ホール用ＡＴＭは、好ましい実施の形態として、挿入されたキャッシュカードから読み取ったＩＤ及び取引口座番号の一つの組合わせに対して、１日中の払戻金額の合計額を制限する機能を備えている。すなわち、真正な暗証番号の入力の後に入力された出金要求金額に対して現金を支払う度に、その支払金額をそのＩＤ及び取引口座番号の組合わせに対して１日単位で積算して記憶して置き、同日の積算値が予め規定してある制限値に達した場合は、そのＩＤ及び取引口座番号の組合わせに対しては、以後、支払を拒絶するとともに、表示・入力部１０２に、当日の支払い額が制限値に達したので、支払いできない旨を表示するするように構成されている。
【００５０】
［入金処理］
客が取引種類選択のステップ（Ｓ４，Ｓ５）において、入金を選択した（Ｓ５においてＹ）場合は、図７Ｃに示すように、入金処理部１２４が通常のＡＴＭで行われている入金処理とは一部異なる、遊技ホール用ＡＴＭ独自の入金処理を行う。すなわち、入金を選択したときは、通常の入金処理と同様に、通帳挿入・返却口１０３への通帳の挿入を促す（Ｓ２１）。一定時間以内に通帳が挿入されないとき（Ｓ２２においてＹ）は、Ｓ１に戻る。一定時間以内に通帳が挿入されたとき（Ｓ２２においてＮ）は、続いて、通常の入金処理とは異なって、紙幣受払口１０５を開放して紙幣の投入又はカード挿入・返却口１０３へのカード（金券又は店主カード）の挿入を促す（Ｓ２４）。紙幣が挿入された時（Ｓ２５においてＹ）は、図７ＤのＳ３１に移行して、後述するように、通常の入金処理と同様の入金処理を行う。
【００５１】
これに対して、客が取引種類の選択において入金を選択（図７ＡのＳ５においてＹ）した後、図７ＣのＳ２５において紙幣受払口１０５に紙幣を挿入せずに、カード挿入・返却口１０３にカードを挿入したとき（Ｓ２６においてＹ）は、図７ＥのＳ４１に移行する。
【００５２】
図７ＤのＳ３１に移行したときは、通常の入金処理と同様に、その挿入された紙幣を計数部１０５ｂが計数し（Ｓ３１）、その計数値（投入金額）を表示・入力部１０２に表示して（Ｓ３２）、客（ＡＴＭ利用者）にその確認を促す（Ｓ３）。表示・入力部１０２の確認ボタンを押したときは、表示・入力部１０２に表示してその投入金額の全額入金と一部入金のいずれかを選択することを促す（Ｓ３４）。
【００５３】
全部入金を選択したときは、Ｓ３５の入金処理ルーチンにおいて、紙幣受払口１０５を閉めるとともに、その投入金額のデータと挿入された通帳から読取・書込部１０３ａが読み取った口座番号データとを、所定の金融機関のデータベースの中のその口座番号に対応する取引口座の残高に加算して残高を更新し記録するために、通信を介して金融機関に送信する。また、その金融機関から送信されてくる更新された残高をその通帳に記録した後、通帳挿入・返却口１０３から通帳を返却する。これと同時に、紙幣受払口１０５内の紙幣をＡＴＭ内の所定の金庫に収納する）。
【００５４】
投入されて紙幣の計数値に対する確認が一定時間内にされない場合（Ｓ３７においてＹ）は、紙幣受払口１０５を開けると同時に、その紙幣を取り戻すよう促し（Ｓ３８）、取り戻される（Ｓ３９においてＹ）と紙幣受払口１０５を閉めて、Ｓ１に戻る。
【００５５】
図７ＥのＳ４１に移行したときは、挿入されたカードが所定の特殊カード、すなわち、特定の金券発行装置３００が発行した金券であるか否かを調べる（Ｓ４１）。所定の金券であるか否かは、カード挿入・返却口１０３の中に設けてある読取・書込部１０４ａがそのカードから記憶部１３０に記憶されているＩＤ、すなわち、景品交換所２のＩＤと一致するデータを読み取ったか否かで行う。所定の金券であると判定したとき（Ｓ４１においてＹ）は、Ｓ４２において入金ルーチンを実行する。
すなわち、その金券から読み取った金額データ（特殊景品の買取金額）を、通帳から読取・書込部１０３ａが読み取った口座番号データとともに、所定の金融機関のデータベースの中のその口座番号に対応する取引口座の残高に加算して残高を更新し記録するために、通信を介して金融機関に送信する。また、その金融機関から送信されてくる更新された残高データに基づいて、その通帳に新残高を記録した後、通帳挿入・返却口１０３から通帳を返却する。
カード挿入・返却口１０３に挿入された金券は、ＡＴＭに設けた周知のカード回収手段（図示省略）によりＡＴＭ内に回収するように構成することもできるし、回収しない場合は、その金券の金額データをＡＴＭに設けた周知の消去手段（図示省略）により消去した後、カード挿入・返却口１０３から返却するように構成することもできる。
【００５６】
本発明の好ましい実施の形態においては、ＡＴＭが設置されている遊技ホールの店主がその遊技ホールでの遊技媒体売上金又はこれに飲食品等の遊技媒体以外の売上金を含めて、その売上金をＡＴＭに入金することができるように構成されている。この場合は、店主が所持するキャッシュカードには、所持者が特定の店主であると一般取引者から識別可能な固有のＩＤが記録されている。
【００５７】
この実施の形態の場合は、取引種類の選択ステップ（Ｓ４，Ｓ５）において入金を選択した（Ｓ５においてＹ）後、Ｓ２５において紙幣を挿入せずにカードを挿入した場合（Ｓ２６においてＹ）の、カードの種類の判定ステップ（Ｓ４１）において、そのカードが所定の景品交換所２のＩＤが記録された金券か、それ以外かを判定し、金券以外である場合は、さらに、Ｓ４４において、そのカードが店主カードか、それ以外かを判定する。店主カードか否かは、そのカードに所定の店主ＩＤが記録されているか否かで判定する。そして、店主カードであると判定した場合（Ｓ４４においてＹ）は、Ｓ４５において入金処理ルーチンを実行する。すなわち、紙幣受払口１０５を開放して紙幣の挿入を促し、以後、Ｓ３１ないしＳ３９までの処理と同一の処理が実行される。最後に、通帳と店主カードが返却される（Ｓ４６）。
【００５８】
カードの種類の判定ステップ（Ｓ４４）において、そのカードが金券、店主カードのいずれでもない場合は、そのカード及び通帳を返却して、処理を終了し、Ｓ１に戻る。
【符号の説明】
【００５９】
１      遊技ホール
１１    遊技島
１２    受付化カウンタ
１３    入賞玉カウンタ
１４    景品棚
１００  ＡＴＭ
２００  カード販売機
２      景品交換所
３００  金券発行装置
３１０  特殊景品カウンタ
３２０  金券発行機
【図１】
2010166952.tif 000003
【図２】
2010166952.tif 000004
【図３】
2010166952.tif 000005
【図４】
2010166952.tif 000006
【図５】
2010166952.tif 000007
【図６】
2010166952.tif 000008
【図７Ａ】
2010166952.tif 000009
【図７Ｂ】
2010166952.tif 000010
【図７Ｃ】
2010166952.tif 000011
【図７Ｄ】
2010166952.tif 000012
【図７Ｅ】
2010166952.tif 000013